(57)【要約】【課題】  電線の保護を図ると共に長期的な耐用性を有し、かつ作業性のよい電線設備具を提供することにある。【解決手段】  電線取付部１と、移動して電線Ｄを締め付ける電線保持部２と、電線保持部２を移動させるためにトルク管理をしながら回転力を付与する回転力伝達部３とを備えており、電線取付部１は、上片１ａと下片１ｃと、上片１ａと下片１ｃの一方側をつなぐ縦片１ｂとから全体の形状が電線Ｄ外周の三方を囲むほぼコ字型をなしており、開放側は取入口Ｅとなっているとともに、取入口Ｅには、電線Ｄの電線取付部１からの離脱を防止するための蓋４が開閉可能に取り付けてあり、その蓋４を閉じて取入口Ｅを塞いだときに、蓋４と縦片１ｂとが平行に配置されると共に蓋４と下片１ｃとが嵌合して変形し難くすると共に、電線保持部２が、その両側部の一側Ｌが蓋４に、また、他側Ｒが縦片１ｂに沿って移動して電線に対して締め付け力を正確に伝えることを特徴とする。【選択図】      図１
2011205890.tif 000002
【特許請求の範囲】
【請求項１】
電線（Ｄ）外周を囲むと共に、その電線（Ｄ）外周面の一端部を押圧する電線取付部（１）と、電線取付部（１）の内周側（Ｐ）と外周側（Ｑ）とを挿通部（２ａ）が移動自在に取り付けてあると共に、挿通部（２ａ）の電線取付部内周側（Ｐ）の端部にある押圧部（２ｂ）にて電線（Ｄ）外周面の他端部を押圧する電線保持部（２）と、前記挿通部（２ａ）をネジ回しするときの回転力を付与する回転力伝達部（３）とを備えており、
電線取付部（１）は、上片（１ａ）と下片（１ｃ）と、上片（１ａ）と下片（１ｃ）の一方側をつなぐ縦片（１ｂ）とから全体の形状が電線（Ｄ）外周の三方を囲むほぼコ字型をなしており、開放側は取入口（Ｅ）となっているとともに、取入口（Ｅ）には、電線（Ｄ）の電線取付部（１）からの離脱を防止するための蓋（４）が開閉可能に取り付けてあり、蓋（４）を閉じて取入口（Ｅ）を塞いだときに、蓋（４）と縦片（１ｂ）とが平行に配置されると共に蓋（４）と下片（１ｃ）とが嵌合し、電線（Ｄ）を電線取付部（１）に押圧するとき、電線保持部（２）は、押圧部の両側部の一側（Ｌ）部が蓋（４）に、また、他側（Ｒ）部が縦片（１ｂ）に沿って移動することを特徴とする電線設備具。
【発明の詳細な説明】
【技術分野】
【０００１】
本発明は、電線、特に配電線を締め付ける態様の電線設備具に関するものである。
【背景技術】
【０００２】
例えば、特開２００２−１７６９０１の鳥害防止具などに代表される電線（配電線）に締め付ける態様の電線設備具があった。ところがこの種の電線設備具は、通常、クランプ等の締め付け手段を電線に対して強固に締め付けるものであったため、電線に対して締め付けた箇所が強く食い込んで電線被膜表面を傷つけることがあった。一方、電線の締め付けに伴って電線設備具の側にも強い変形力が加わるが、電線設備具はコの字型であるため、締め付けを強くした場合、電線取付部の上片と下片とが引き離される力が働き、その力は電線設備具の側部２に集中してしまう。電線設備具は、充電された電線に直接取り付けるため、軽量で絶縁性に優れた樹脂を材料として使うことが多いが、金属等に比べると強度が弱いため、割れてしまうことがあった。以上のように、電線および電線設備具の長期的な使用に際して、耐用性の面で懸念されるものであった。
【０００３】
さらに、電線設備具が細長い構造であるため、そもそもバランスが取りにくい。電線の締め付けが弱い場合、すなわち、先行技術文献の図２に開示される第二握持部１３が電線Ｗに圧接されていない場合、電線が鳥害防止装置の第一握持部５と第二握持部１３への収まりが悪く、ときには作業中に外れてしまうなどして作業性が悪かった。
【０００４】
さらに、電柱間の電線は、たるみを持たせて施設されているため、作業者が当該装置を電線に取り付ける際には、電線が上方向に押し上がってしまうため、他の作業者が当該装置をその上方向の力に抗する力により保持していなければならず、作業性が悪かった。
【先行技術文献】
【特許文献】
【０００５】
【特許文献１】特開２００２−１７６９０１号公報
【発明の概要】
【発明が解決しようとする課題】
【０００６】
本発明は以上のような課題を鑑み、電線の保護を図ると共に長期的な耐用性を有し、且つ作業性のよい電線設備具を提供することにある。
【課題を解決するための手段】
【０００７】
本発明のうち請求項１記載の発明は、電線外周を囲むと共に、その電線外周面の一端部を押圧する電線取付部と、電線取付部の内周側と外周側とを挿通部が移動自在に取り付けてあると共に、挿通部の電線取付部内周側の端部にある押圧部にて電線外周面の他端部を押圧する電線保持部と、前記挿通部をネジ回しするときの回転力を付与する回転力伝達部とを備える電線設備具であって、電線取付部は、上片と下片と、上片と下片の一方側をつなぐ縦片とから全体の形状が電線外周の三方を囲むほぼコ字型をなしており、開放側は取入口となっているとともに、取入口には、電線の電線取付部からの離脱を防止するための蓋が開閉可能に取り付けてあり、蓋を閉じて取入口を塞いだときに、蓋と縦片とが平行に配置されると共に蓋と下片とが嵌合し、電線を電線取付部に押圧するとき、電線保持部は、押圧部の両側部の一側部が蓋に、また、他側部が縦片に沿って移動することを特徴とする。
【発明の効果】
【０００８】
本発明によれば、電線取付部が、上片と下片と、上片と下片の一方側をつなぐ縦片とから全体の形状が電線外周の三方を囲むほぼコ字型をなすことにより、その開放側から電線を取り入れて電線保持部側に受け入れることができる。また、電線を電線保持部で保持した後は、蓋を閉めれば取入口が塞がれて電線取付部からの電線の離脱が防止されると共に、電線保持部の両側部が平行に配置された蓋と縦片に沿って安定な姿勢で移動し、かつ電線保持部による電線の締め付け時に発生する上下方向の負荷が縦片と蓋に分散される。さらに、電線を締め付けることで働く電線取付部の上片と下片とが引き離される力に対しても、縦片と蓋で引張り力を分担するから、電線保持部による電線に対する締め付け方向と相反する方向に引張り力が働いて相殺されるので、これにより、電線に対して電線保持部による締め付け力を正確に伝えることでき、結果、電線に対して垂直に電線設備具を取り付けできるため、作業効率が改善する。
【図面の簡単な説明】
【０００９】
【図１】（ａ）は、本発明の電線設備具（鳥害防止具）を電線に取り付けた状態を示す正面図であり、（ｂ）は、（ａ）中のＡ−Ａ線横断面図であり、（ｃ）は、（ｂ）中Ｂを拡大して示す横断面図である。
【図２】本発明の電線設備具（鳥害防止具）の全体を示す斜視図である。
【図３】（ａ）（ｂ）（ｃ）（ｄ）は、電線を押圧するときの作動状態を示す図である。
【図４】（ａ）（ｂ）は、電線を押圧する際の作動状態を示す一部を縦断面した図である。
【図５】（ａ）（ｂ）（ｃ）（ｄ）は各々、本発明の電線設備具（鳥害防止具）の取り付け手順を示す斜視図である。
【発明を実施するための形態】
【００１０】
以下、本発明の電線設備具の実施形態を図面に基づいて説明する。尚、本実施形態は本電線設備具の一例として鳥害防止具について説明している。
【００１１】
電線設備具は、電線周辺に使用するものであるから軽量化と絶縁性を要するため、すべての部品を樹脂で成形するものであり、図２のように、電線Ｄ外周の三方を囲む電線取付部１と、上下動して電線取付部１との間に電線Ｄを保持する電線保持部２と、電線保持部２を上下動させる回転力伝達部３とからなっている。電線取付部１は、図１（ａ）および図２のように、上片１ａと下片１ｃと、上片１ａと下片１ｃの一方側をつなぐ縦片１ｂとから全体の形状が電線Ｄ外周の三方を囲むほぼコ字型をなしており、上片１ａの電線取付部内周側Ｐのほぼ中央位置には、山形に窪んだ電線Ｄの受け部５を有している。そして電線取付部１の開放する一方側は、本電線設備具を取り付けるときに電線Ｄを電線取付部内周側Ｐに受け入れるための取入口Ｅとなっている。また取入口Ｅには、電線Ｄの電線取付部１からの離脱を防止するための蓋４が開閉可能に取り付けてあり、詳しくは、上片１ａの取入口Ｅ側に軸部６が設けてあり、この軸部６により蓋４の上端部を水平軸回転可能に軸支する一方、蓋４の下端部に嵌合孔７ａ（図１（ａ）（ｂ）参照）が設けてあり、下片１ｃの取入口Ｅ側の端部に設けてある嵌合突部７ｂに嵌合する。
尚、符号１３は、ワイヤーＷを張るための起立部であり、また符号１５は、他の間接活線把持具で補助的に掴むときに使用する把持片である。
【００１２】
電線保持部２は、電線Ｄを押圧する押圧部２ｂと、この押圧部２ｂから垂直に伸びるネジ型をなす挿通部２ａとからなっている。そして回転力伝達部３は、間接活線把持具との連結部１０を有する駆動回転部３ａと、前記挿通部２ａの電線取付部外周側Ｑの端部に設けてある従動回転部３ｂとからなっている。さらに、前記電線取付部１の下片１ｃには、電線取付部内周側Ｐと外周側Ｑとを貫通するガイド孔Ｇが設けてあり、このガイド孔Ｇには、ネジ溝を切ってある挿通孔９を中央に有して筒型をなす従動回転部３ｂの上部側が略水平回転可能で、且つ上下の鍔部により抜け出し不能に取り付けてあり、この従動回転部３ｂの挿通孔９には前述した挿通部２ａが上下動自在に取り付けてある。そして、従動回転部３ｂの下部は、図１（ｂ）および図２のように、挿通部２ａから下向きに垂直に延びている。この従動回転部３ｂの外壁面には、この外壁面から外向きに突出した被係止部１２をそれぞれ設けてあり、この被係止部１２は、図１（ｃ）のように、挿通部２ａを緩める方に回転する側に被係止部側テーパ部１２ａを設けており、この被係止部側テーパ部１２ａは、挿通部２ａを緩める方から締める方に向けて従動回転部３ｂの外壁面から次第に登り勾配となっており、この被係止部側テーパ部１２ａの頂部よりも挿通部２ａを締める方に向かう側には、従動回転部３ｂの外壁面からほぼ直角または鋭角に切り立った段状をなす被係止部側逆回し防止部１２ｂを設けてある。
【００１３】
これに対して駆動回転部３ａは、前述した従動回転部３ｂの外壁面の全周を囲む筒型をなしている。この駆動回転部３ａは、本実施によるものでは底面視してほぼ六角形をなしており、駆動回転部３ａの周壁の上端部には、上先端が内向きに屈曲した鉤部１４を１８０°間隔に２箇所有し、各鉤部１４の屈曲した先端部は、挿通部２ａから外周側に張り出した従動回転部３ｂの上端面に係止している。これにより、駆動回転部３ａの従動回転部３ｂからの離脱を防ぐと共に、駆動回転部３ａが挿通部２ａと同軸に垂直軸回転可能に取り付く。また駆動回転部３ａの内壁面には、この内壁面から内向きに突出した係止部１１を設けており、各係止部１１は、図１（ｃ）のように、前述した被係止部側テーパ部１２ａとは反対に、締める方から緩める方に向けて次第に登り勾配となる係止部側テーパ部１１ａを有しており、係止部側テーパ部１１ａの頂部から緩める方に向かう側は、駆動回転部３ａの筒孔Ｈの内壁面からほぼ直角または鋭角に切り立った段状をなす係止部側逆回し防止部１１ｂを設けてある。
【００１４】
そして前述した駆動回転部３ａと従動回転部３ｂは、間接活線把持具の操作により以下のように作動する。ここで、図３（ａ）中の星印を間接活線把持具、丸印を駆動回転部３ａ、三角印を従動回転部３ｂのそれぞれの基準位置として図示し、駆動回転部３ａと従動回転部３ｂの作動状態を説明する。具体的には、図３（ａ）に示す状態を基準位置とし、間接活線把持具側の連結部位Ｋを駆動回転部３ａの連結部１０に連結して操作すると、図３（ｂ）のように、駆動回転部３ａの係止部１１が従動回転部３ｂの被係止部１２に係止する。そして、係止状態にある係止部１１と被係止部１２に対して、間接活線把持具から駆動回転部３ａにさらに回転力が加わることにより、図３（ｃ）のように、駆動回転部３ａと従動回転部３ｂとが共回りする。そして駆動回転部３ａに回転力がさらに加わると、係止部１１の係止部側テーパ部１１ａと被係止部１２の被係止部側テーパ部１２ａが当接し、図３（ｄ）のように、互いに当接したときの摩擦抵抗を上回る回転力が駆動回転部３ａから従動回転部３ｂに加わったときに、係止部１１が被係止部１２を乗り越え、従動回転部３ｂの外壁面の次の係止部１１と当たるまで電線保持部２を締める方向に移動する。
尚、上記した駆動回転部３ａを締め付ける方向とは逆回しさせた場合には、係止部１１の係止部側逆回し防止部１１ｂと、被係止部１２の被係止部側逆回し防止部１２ｂが乗り越え不能な状態で係止するので、電線Ｄから電線保持部２を容易に緩めることができる。
【００１５】
上記のように形成すると、図４（ａ）のように、間接活線把持具により駆動回転部３ａを回したとき、電線保持部２の押圧部２ｂは、その両側部のうちの一側Ｌ部が蓋４に、また、他側Ｒ部が縦片１ｂに沿って案内されながら上下方向に移動するので、回転力伝達部３を締め付ける方向に回したときには、押圧部２ｂが上片１ａに向かってほぼ垂直に移動することになる。これに従い、上片１ａに当接する電線Ｄに対しても押圧部２ｂがほぼ垂直に当接するので、上片１ａと押圧部２ｂとの間に電線Ｄを正確且つ確実に保持できる。さらに、電線保持部２による電線Ｄの締め付けによる応力を縦片１ｂと蓋４とに分散して受けることができるので、電線Ｄの締め付け時に電線設備具全体が変形し難くなり、これにより、樹脂製でありながら強い締め付け力に対する耐久性が確保されることになる。
【００１６】
さらに、図４（ｂ）のように、電線設備具を電線Ｄに押圧するとき、作業者は、上方向に挿通部２ａを押し込む力は必要なく、連結部１０に対して回転方向のみの力を加えればよいため、電線取付部１と回転力伝達部３は、作業が回転力を付与する定位置で留まって上方向に上がらない構造となり、電線Ｄを安定して押圧できる。すなわち、従動回転部３ｂが回転すると従動回転部３ｂの中心部の挿通孔９に螺合されたネジ型の挿通部２ａが回転するが、挿通部２ａの上部は、押圧部２ｂに結合して回転できないため、電線保持部２（挿通部２ａ、押圧部２ｂ）が上昇することになる。これにより、本実施による電線設備具を電線Ｄに対して容易に設置することができる。
【００１７】
以上のように構成する本発明の電線設備具の取り付け手順について、図５（ａ）〜（ｄ）に基づいて説明する。
第一の手順として図５（ａ）のように、蓋４を跳ね上げて電線取付部１の電線取入口Ｅを開放し、これにより開放した電線取付部内周側Ｐにある受け部５に電線Ｄをあてた後、蓋４を閉める。
第二の手順として図５（ｂ）のように、回転力伝達部３の連結部１０に間接活線把持具の連結部位を連結する。これにより回転力伝達部３の駆動回転部３ａは、間接活線把持具の操作に従って締める方向と緩める方向のいずれか任意の方向に回転自在となる。
第三の手順として図５（ｃ）のように、間接活線把持具を操作して電線保持部２をネジ回しして押圧部２ｂを上方に移動し、押圧部２ｂを前記受け部５にあてた電線Ｄの下端側に押しあてる。
第四の手順として図５（ｄ）のように、間接活線把持具を操作し続け、回転力伝達部３の駆動回転部３ａの係止部１１が従動回転部３ｂの被係止部１２を乗り越えた段階で、間接活線把持具の操作を止めて連結部位を回転力伝達部３の連結部１０から取り外す。
以上の手順を経ることにより、本実施による電線設備具の電線Ｄへの取り付け工程を完了する。
【００１８】
本発明の電線設備具は、前述した鳥害防止具のみに適用を限定するものではない。
【符号の説明】
【００１９】
１  電線取付部
１ａ  上片
１ｂ  縦片
１ｃ  下片
２  電線保持部
２ａ  挿通部
２ｂ  押圧部
３  回転力伝達部
３ａ  駆動回転部
３ｂ  従動回転部
４  蓋
１１  係止部
１１ａ  係止部側テーパ部（被係止部と係止する側）
１１ｂ  係止部側逆回し防止部（被係止部と係止する側）
１２  被係止部
１２ａ  被係止部側テーパ部（係止部と係止する側）
１２ｂ  被係止部側逆回し防止部
【図１】
2011205890.tif 000003
【図２】
2011205890.tif 000004
【図３】
2011205890.tif 000005
【図４】
2011205890.tif 000006
【図５】
2011205890.tif 000007